(57)【要約】【課題】重量物を安定して支えることができる脚部を有する貯湯タンクユニットを提供すること。【解決手段】本発明の貯湯タンクユニットは、湯水を貯える貯湯タンク４と、貯湯タンク４を支えるタンク脚部５と、略直方体形の筐体２と、筐体２の底板２ｅを支える筐体脚部３とを備え、タンク脚部５と筐体脚部３とを筐体２の底板２ｅを介して螺着する貯湯タンクユニットであって、底板２ｅと接する筐体脚部３の上面３ａは同一方向に折り曲げて形成されるとともに、筐体脚部３の上面３ａにタンク脚部５と螺着する接続穴３ｄを設け、筐体脚部３の設置面に対して略垂直方向の設置面３ｂ側から筐体脚部３を視認した時に、接続穴３ｄが設置面３ｂよりも外側に位置する。【選択図】図４
2011002144.tif 000002
【特許請求の範囲】
【請求項１】
湯水を貯える貯湯タンクと、前記貯湯タンクを支えるタンク脚部と、略直方体形の筐体と、前記筐体の底板を支える筐体脚部とを備え、前記タンク脚部と前記筐体脚部とを前記筐体の底板を介して螺着する貯湯タンクユニットであって、前記底板と接する前記筐体脚部の上面は同一方向に折り曲げて形成されるとともに、前記筐体脚部の上面に前記タンク脚部と螺着する接続穴を設け、前記筐体脚部の設置面に対して略垂直方向の設置面側から前記筐体脚部を視認した時に、前記接続穴が前記設置面よりも外側に位置することを特徴とする貯湯タンクユニット。
【請求項２】
前記筐体脚部は、前記筐体の底板と接する上面と、前記筐体の設置場所と接する設置面と、前記上面と前記設置面とを繋ぐ立設面とを備え、前記上面と前記立設面と前記設置面とは折り曲げて一体的に構成されるとともに、前記設置面と前記立設面とは略垂直となるように形成されることを特徴とする請求項１に記載の貯湯タンクユニット。
【発明の詳細な説明】
【技術分野】
【０００１】
本発明は、沸き上げた湯水を貯湯するための貯湯タンクを内部に有する貯湯タンクユニットに関するものである。
【背景技術】
【０００２】
従来の貯湯タンクユニットでは、筐体を安定的に支えるために略直方体の筐体の底板に筐体脚部が設けられているのが一般的である。そして、貯湯タンクユニットを設置後には、貯湯タンクユニットに接続される給湯配管は、貯湯タンクユニットの筐体の下面をくぐらせて設置施行されるため、筐体脚部には一定の高さが必要となり、大凡１５０ｍｍ〜２００ｍｍ程度の高さになっている場合が多い。
【０００３】
一方で、貯湯タンクに湯水を満水にしたときには、貯湯タンクユニットは４００ｋｇを越える重さになるため、かなりの重量物となり、その重量物が転倒しないように安定的に支える必要があるため、筐体脚部を配置する位置についても適切に決定されることが重要である（例えば、特許文献１参照）。
【０００４】
図８は、特許文献１に記載の筐体脚部である。図８（ａ）は筐体脚部の上面図、（ｂ）は筐体脚部の正面図である。図８に示すように、特許文献１に記載の筐体脚部１００は、底板と接する上面１０１と、設置場所と接する設置面１０２とを備えており、上面１０１には、貯湯タンクの脚部と螺着するための接続穴１０３が設けられている。
【０００５】
図９は、貯湯タンクユニットの内部にある貯湯タンクの脚部１０４と、筐体脚部１００との接続図である。図９に示すように、貯湯タンクの脚部１０４と筐体脚部１００とは、筐体の底板１０５を介して螺着される。
【先行技術文献】
【特許文献】
【０００６】
【特許文献１】特開２００７−１５５２８４号公報
【発明の概要】
【発明が解決しようとする課題】
【０００７】
しかしながら、近年ではより小さなスペースに設置することが出来るように貯湯タンクユニットの小型化が進んでおり、従来の貯湯タンクユニットに対して筐体の底板の面積も小さくなっている。そのため、小さな面積の底板に対して、満水時にかなりの重量物になる貯湯タンクを支えるためには、筐体脚部を出来るだけ筐体の底板の隅に近い部分に配置することが好ましいが、従来の筐体脚部は、上面１０１が開く形で形成されているため、底板の隅に近い部分に配置することができないという課題を有していた。
【０００８】
本発明は、前記従来の課題を解決するもので、重量物を安定して支えることができる脚部を有する貯湯タンクユニットを提供することを目的とする。
【課題を解決するための手段】
【０００９】
前記従来の課題を解決するために、本発明の貯湯タンクユニットは、湯水を貯える貯湯タンクと、貯湯タンクを支えるタンク脚部と、略直方体形の筐体と、筐体の底板を支える筐体脚部とを備え、タンク脚部と筐体脚部とを筐体の底板を介して螺着する貯湯タンクユニットであって、底板と接する筐体脚部の上面は同一方向に折り曲げて形成されるとともに、筐体脚部の上面にタンク脚部と螺着する接続穴を設け、筐体脚部の設置面に対して略
垂直方向の設置面側から筐体脚部を視認した時に、接続穴が設置面よりも外側に位置することにより、筐体脚部の上面を同一方向に折り曲げて形成しているので、筐体の底板の隅に近い位置に筐体脚部を配置することができ、かつ、筐体脚部の設置面に対して略垂直方向の設置面側から筐体脚部を視認した時に、接続穴が設置面よりも外側に位置しているので、タンク脚部と筐体脚部とを螺着する時に、作業がしやすく作業性が向上する。
【発明の効果】
【００１０】
本発明は、重量物を安定して支えることができる脚部を有する貯湯タンクユニットを提供することができる。
【図面の簡単な説明】
【００１１】
【図１】（ａ）本発明の実施の形態１における貯湯タンクユニットの正面図（ｂ）同実施の形態１における貯湯タンクユニットの下方斜視図
【図２】同実施の形態１における要部正面図
【図３】同実施の形態１における筐体脚部の斜視図
【図４】（ａ）同実施の形態１における筐体脚部の正面図（ｂ）同実施の形態１における筐体脚部下面正面図
【図５】同実施の形態１におけるタンク脚部と筐体脚部との関係図
【図６】同実施の形態１における貯湯タンクユニットの下方正面図
【図７】同実施の形態１におけるタンク脚部と筐体脚部との接続図
【図８】（ａ）従来の筐体脚部の上面図（ｂ）従来の筐体脚部の正面図
【図９】従来のタンク脚部と筐体脚部との接続図
【発明を実施するための形態】
【００１２】
第１の発明の貯湯タンクユニットは、湯水を貯える貯湯タンクと、貯湯タンクを支えるタンク脚部と、略直方体形の筐体と、筐体の底板を支える筐体脚部とを備え、タンク脚部と筐体脚部とを筐体の底板を介して螺着する貯湯タンクユニットであって、底板と接する筐体脚部の上面は同一方向に折り曲げて形成されるとともに、筐体脚部の上面にタンク脚部と螺着する接続穴を設け、筐体脚部の設置面に対して略垂直方向の設置面側から筐体脚部を視認した時に、接続穴が設置面よりも外側に位置することにより、筐体脚部の上面を同一方向に折り曲げて形成しているので、筐体の底板の隅に近い位置に筐体脚部を配置することができ、かつ、筐体脚部の設置面に対して略垂直方向の設置面側から筐体脚部を視認した時に、接続穴が設置面よりも外側に位置しているので、タンク脚部と筐体脚部とを螺着する時に、作業がしやすく作業性が向上する。
【００１３】
第２の発明の貯湯タンクユニットは、特に第１の発明において、筐体脚部は、筐体の底板と接する上面と、筐体の設置場所と接する設置面と、上面と設置面とを繋ぐ立設面とを備え、上面と立設面と設置面とは折り曲げて一体的に構成されるとともに、設置面と立設面とは略垂直となるように形成されることにより、設置場所に設置面をアンカーボルトなどで固定する時のスペースを広く取ることができ、さらに、筐体の底板の隅に近い場所に筐体脚部を取り付けたときに、筐体の底板と筐体脚部の立設面とを略同一平面上に配置することができるので、外観性も向上させることができる。
【００１４】
以下、本発明の実施の形態について、図面を参照しながら説明する。なお、この実施の形態によって本発明が限定されるものではない。
【００１５】
（実施の形態１）
図１（ａ）は、実施の形態１における貯湯タンクユニットの正面図、図１（ｂ）は、実施の形態１における貯湯タンクユニットの下方斜視図である。図１（ａ）（ｂ）に示すように、本実施の形態１の貯湯タンクユニット１には、貯湯タンクユニット１の外郭を構成
し略直方体形状を成す筐体２と、筐体２の底板を支える筐体脚部３とを有している。また、筐体２は、上部を形成する天面板２ａ、側部を形成する側面板２ｂ、背部を形成する背面板２ｃ、前部を形成する前面板２ｄ、底部を形成する底板２ｅを有しており、前面板２ｄの下方部には給湯配管や給水配管を接続するための接続スペースが設けられている。
【００１６】
図２は、貯湯タンクユニットの筐体脚部３の拡大図であり、図３は、筐体脚部３の斜視図である。また、図４（ａ）は筐体脚部３の正面図、図４（ｂ）は筐体脚部３の下面図である。図２〜図４を用いて、筐体脚部３の構成について説明する。
【００１７】
本実施の形態の筐体脚部３は、底板２ｅと接する上面３ａと、設置箇所と接する設置面３ｂと、設置面と上面とを繋ぐ立設面３ｃとで構成される。そして上面３ａと、設置面３ｂと、立設面３ｃとは一体的に構成され、一枚の板状部材を折り曲げて形成されている。さらに上面３ａおよび設置面３ｂは、底板２ｅと略平行となるように折り曲げられ、立設面３ｃは、上面３ａおよび設置面３ｂと略垂直となるように設けられている。
【００１８】
そして、図２の正面図に示すように、筐体脚部３を正面から視認したときに、略長方形状となるように折り曲げられており、上面３ａと底板２ｅとが接するように配置されている。また、図４（ａ）に示すように筐体脚部３を構成する上面３ａはいずれも同一方向に折り曲げられて形成されている。そのため、立設面３ｃの一方は外方に向かって上面３ａが延伸することになるが、立設面３ｃの他方は筐体脚部３の内方に向かって上面３ａが延伸することになるので、上面３ａが内方に向かって延伸している方の立設面３ｃは、底板２ｅの隅に配設することができる。
【００１９】
次に、貯湯タンクユニット１内に配置される貯湯タンクと、筐体脚部との関係について図５を用いて説明する。図５は、貯湯タンクと底板２ｅと筐体脚部３との関係を示した図である。図５に示すように、湯水を貯える貯湯タンク４が筐体２の内部に配設されており、貯湯タンク４の下方部には、底板２ｅに貯湯タンクを載置するためにタンク脚部５が溶接されている。そして、タンク脚部５と筐体脚部３とは底板２ｅを介してボルトとナットで螺着されている。そのため、図４（ｂ）に示すように、筐体脚部３の上面３ａにはタンク脚部５と接続される際にボルトが通る接続穴３ｄが複数個設けられている。また、設置面３ｂには、設置場所にアンカーボルトなどで固定するための固定穴３ｅが複数個設けられており、貯湯タンクユニットを設置する際には、アンカーボルトで固定されることになる。
【００２０】
以上のように構成された貯湯タンクユニットについて、以下、その作用・効果について説明する。
【００２１】
図４（ｂ）に示すように、筐体脚部３を設置面に対して略垂直方向の設置面側から筐体脚部３を視認した時、つまり筐体脚部３を下方側から視認した時に、接続穴３ｄは、設置面３ｅよりも外側に位置していることが分かる。つまりタンク脚部５と筐体脚部３とをボルトで接続する際には、接続穴３ｄが設置面３ｂよりも外側に配置されているので、非常に作業性が向上する。
【００２２】
さらに、２つある上面３ａはそれぞれ同一方向に折り曲げて構成されている。つまり一方側にしか上面３ａは延伸しないことになるので、上面３ａが延伸しない方向の立設面３ｃは底板２ｅの隅に置くことができる。図６は、底板２ｅを下方部から視認した図である。図６に示すように、底板２ｅに筐体脚部３が３つ設けられており、貯湯タンクユニットが安定して設置できるようにバランスよく配置されている。なお、筐体脚部３の個数は本実施の形態に限定されるものではない。
【００２３】
図６に示すように、本実施の形態の筐体脚部３は、すべて同じ形状のものを使用しており、底板２ｅの配置場所に応じて筐体脚部３を形成しておらず、部品の共用化を図っている。図４に示すように筐体脚部３を形成すると、底板２ｅのどこにも設置することができ、生産性を向上させることができる。また、底板２ｅの隅ぎりぎりに配置することができるので、美観性を損なうことなく、貯湯タンクユニットがコンパクトになるにつれて底板２ｅの面積が小さくなっても、底板２ｅの隅ぎりぎりに配置することができるので、貯湯タンクユニットを安定して設置することができる。
【００２４】
また、給湯、給水、風呂配管などを接続するための配管接続部６があり、施工上、またメンテナンスのために貯湯タンクユニットの前面側に配置されるのが通常である。配管接続部６に接続された給湯、給水、風呂配管等が、貯湯タンクユニットの下部の隙間、つまり筐体脚部３の間を通ってくぐるように施工される場合が非常に多い。そのため、特に、前後方向に配管施工された場合には、筐体脚部３が邪魔にならないことが重要である。
【００２５】
しかしながら、本実施の形態では、立設面３ｃが、上面３ａおよび設置面３ｂに対して、略垂直となるように構成されているため、中央に長方形の空間を持っている。これは、筐体脚部３内にも空間を作り、配管施工時にその空間に配管を通せるようにしている。近年多機能化し、配管数が増えていく中で、効率のよい配管施工を実現することができる。
【００２６】
さらに、設置面３ｂと設置場所との接触面積を大きくすることもできるため、より安定的な支持を実現することができる。
【００２７】
また、本実施の形態における筐体脚部３は、１部品を折り曲げて構成することで強度を確保している。もし筐体脚部３を複数の部品により構成して溶接で組み合わせた場合、そこに比較的強度の弱い部分が発生してしまう場合が多いこと、また製造に手間が掛かってしまうという課題があるためである。
【００２８】
図７は、筐体脚部３とタンク脚部５との接続図である。図７に示すように、タンク脚部５と筐体脚部３とを底板２ｅを介してボルトとナットで接続するが、図４（ｂ）のように接続穴３ｄを配置しているので、接続をスムーズにすることができる。また、施工現場の設置状況に応じて筐体脚部３を一度取り外し、再度、取り付ける場合においても、特別な工具を使用することなく、容易に取り付け作業を行うことができる。
【産業上の利用可能性】
【００２９】
以上のように、本発明に係る貯湯タンクユニットは、ヒートポンプを熱源とするヒートポンプ式給湯機や、電気ヒータを熱源と擦る電気温水器の貯湯タンクユニットに適用することができる。
【符号の説明】
【００３０】
１  貯湯タンクユニット
２  筐体
２ｅ  底板
３  筐体脚部
３ａ  上面
３ｂ  設置面
３ｃ  立設面
４  貯湯タンク
５  タンク脚部
【図２】
2011002144.tif 000003
【図３】
2011002144.tif 000004
【図１】
2011002144.tif 000005
【図４】
2011002144.tif 000006
【図５】
2011002144.tif 000007
【図６】
2011002144.tif 000008
【図７】
2011002144.tif 000009
【図８】
2011002144.tif 000010
【図９】
2011002144.tif 000011